(57)【要約】【課題】検出対象物の大きさによる操作感の違いを抑制する操作装置を提供する。【解決手段】この操作装置１は、主に、操作面２０の周囲に設けられた枠１２を有し、操作面２０に対する指の接触を検出して検出信号を出力するタッチパネル２と、タッチパネル２から出力された検出信号に基づいて指の接触面積を算出し、指が操作面２０と枠１２とに接触する際の枠１２から検出対象物の基準点までの距離を、接触面積から判別する判別部３と、判別部３より判別された距離に基づいて指の接触を検出する検出領域２０１と接触を検出しない非検出領域２０２とに操作面２０を分け、操作面２０に設定された第１の座標系を検出領域２０１の第２の座標系に変換する座標変換部４と、を備えて概略構成されている。【選択図】図１
2014006765.tif 000002
【特許請求の範囲】
【請求項１】
操作面の周囲に設けられた枠を有し、前記操作面に対する検出対象物の接触を検出して検出信号を出力する検出部と、
前記検出部から出力された前記検出信号に基づいて前記検出対象物の接触面積を算出し、前記検出対象物が前記操作面と前記枠とに接触する際の前記枠から前記検出対象物の基準点までの距離を、前記接触面積から判別する判別部と、
前記判別部より判別された前記距離に基づいて前記検出対象物の接触を検出する検出領域と接触を検出しない非検出領域とに前記操作面を分け、前記操作面に設定された第１の座標系を前記検出領域の第２の座標系に変換する座標変換部と、
を備えた操作装置。
【請求項２】
前記判別部が、前記接触面積と前記距離とを関連付けたテーブルを有し、算出された前記接触面積と前記テーブルとに基づいて前記距離を判別する請求項１に記載の操作装置。
【請求項３】
前記座標変換部が、前記検出領域の内側の予め定められた第１の領域とそれ以外の第２の領域とに前記検出領域を分け、前記第１の領域の座標の間隔と前記第２の領域の座標の間隔とを異なるように変更する請求項１又は２に記載の操作装置。
【請求項４】
前記判別部は、前記検出部が前記検出対象物の接触を検出している期間中の接触面積の平均値を用いて前記距離を判別する請求項１乃至３のいずれか１項に記載の操作装置。
【請求項５】
前記判別部は、
第１の距離の判別に用いた接触面積が予め定められた第１のしきい値以下である場合、前記第１の座標系を前記第１の距離に応じた前記第２の座標系に変換させる判別情報を前記座標変換部に出力し、
第２の距離の判別に用いた接触面積が前記第１のしきい値より大きい場合、さらに前記第２の距離に基づいた前記非検出領域で検出されて出力された検出信号と予め定められた第２のしきい値とを比較して当該検出信号が大きい場合に、前記第１の座標系を前記第２の距離に応じた前記第２の座標系に変換させる判別情報を前記座標変換部に出力する請求項１乃至４のいずれか１項に記載の操作装置。
【発明の詳細な説明】
【技術分野】
【０００１】
本発明の実施の形態は、操作装置に関する。
【背景技術】
【０００２】
従来の技術として指先が表示パネル面に近づくにつれて指先の検知分解能が高くなるように分解能を切り替える情報処理装置が知られている（例えば、特許文献１参照。）。
【０００３】
この情報処理装置は、複数の横電極及び縦電極と、対象物と表示パネル面との対峙距離に応じて検知分解能を切り替える検知分解能調整手段と、を備えている。この検知分解能調整手段は、対象物と表示パネル面との対峙距離に応じて、検知させる横電極及び縦電極の数を間引くことで、検知分解能の切り替えを行う。
【先行技術文献】
【特許文献】
【０００４】
【特許文献１】特開２０１１―１３８５４０号公報
【発明の概要】
【発明が解決しようとする課題】
【０００５】
操作面を囲むように枠が設けられた表示パネルの場合、指が枠に触れて、指と枠の間に操作できない領域が生じ、指の太さにより操作感が異なる問題がある。従来の情報処理装置のように、表示パネルとの距離に応じて指先の検知分解能が高くなるように分解能を切り替えたとしても、当該問題は解決されない。
【０００６】
従って、本発明の目的は、検出対象物の大きさによる操作感の違いを抑制する操作装置を提供することにある。
【課題を解決するための手段】
【０００７】
本発明の一態様は、操作面の周囲に設けられた枠を有し、操作面に対する検出対象物の接触を検出して検出信号を出力する検出部と、検出部から出力された検出信号に基づいて検出対象物の接触面積を算出し、検出対象物が操作面と枠とに接触する際の枠から検出対象物の基準点までの距離を、接触面積から判別する判別部と、判別部より判別された距離に基づいて検出対象物の接触を検出する検出領域と接触を検出しない非検出領域とに操作面を分け、操作面に設定された第１の座標系を検出領域の第２の座標系に変換する座標変換部と、を備えた操作装置を提供する。
【発明の効果】
【０００８】
本発明によれば、検出対象物の大きさによる操作感の違いを抑制することができる。
【図面の簡単な説明】
【０００９】
【図１】図１（ａ）は、実施の形態に係る操作装置の斜視図であり、（ｂ）は、操作装置のブロック図であり、（ｃ）は、判別部が格納するテーブルに関する表である。
【図２】図２（ａ）は、実施の形態に係る操作装置の検出領域と非検出領域とを説明するための概略図であり、（ｂ）は、指の太さが標準の場合における図２（ａ）に示すII（ｂ）-II（ｂ）線で切断した断面を矢印方向から見た断面の模式図であり、（ｃ）は、指の太さが標準より太い場合における図２（ａ）に示すII（ｃ）-II（ｃ）線で切断した断面を矢印方向から見た断面の模式図である。
【図３】図３（ａ）は、実施の形態に係るｘ軸方向の座標値について説明するための模式図であり、（ｂ）は、座標値の間隔が変更された場合の模式図であり、（ｃ）は、座標値の間隔が等間隔である場合の模式図である。
【図４】図４は、実施の形態に係るフローチャートである。
【発明を実施するための形態】
【００１０】
（実施の形態の要約）
実施の形態に係る操作装置は、操作面の周囲に設けられた枠を有し、操作面に対する検出対象物の接触を検出して検出信号を出力する検出部と、検出部から出力された検出信号に基づいて検出対象物の接触面積を算出し、検出対象物が操作面と枠とに接触する際の枠から検出対象物の基準点までの距離を、接触面積から判別する判別部と、判別部より判別された距離に基づいて検出対象物の接触を検出する検出領域と接触を検出しない非検出領域とに操作面を分け、操作面に設定された第１の座標系を検出領域の第２の座標系に変換する座標変換部と、を備える。
【００１１】
[実施の形態]
（操作装置の構成）
図１（ａ）は、実施の形態に係る操作装置の斜視図であり、（ｂ）は、操作装置のブロック図であり、（ｃ）は、判別部が格納するテーブルに関する表である。なお、実施の形態に係る各図において、部品と部品との比率は、実際の比率とは異なる場合がある。
【００１２】
操作装置１は、図１（ａ）に示すように、本体１０の表面１００に、操作面２０を囲むように枠１２が設けられている。
【００１３】
操作装置１は、例えば、接続された電子機器の操作を行うことができるものである。操作装置１は、例えば、操作者の体の一部（例えば、指）や専用のペン等の検出対象物で操作面２０に接触する、又は検出される程度に近接することにより操作を検出し、この操作に応じて電子機器に表示されたカーソルの移動や選択、表示されたアイコンのドラッグ、ドロップ等の指示を行うことができるように構成されている。操作者は、例えば、操作面２０に操作を行うことにより、接続された電子機器の操作を行うことが可能となる。本実施の形態では、検出対象物としての指による操作について説明する。
【００１４】
この操作装置１は、主に、操作面２０の周囲に設けられた枠１２を有し、操作面２０に対する指の接触を検出して検出信号としての静電容量情報を出力する検出部としてのタッチパネル２と、タッチパネル２から出力された検出信号に基づいて指の接触面積を算出し、指が操作面２０と枠１２とに接触する際の枠１２から検出対象物の基準点までの距離を、接触面積から判別する判別部３と、判別部３より判別された距離に基づいて指の接触を検出する検出領域２０１と接触を検出しない非検出領域２０２とに操作面２０を分け、操作面２０に設定された第１の座標系を検出領域２０１の第２の座標系に変換する座標変換部４と、を備えて概略構成されている。
【００１５】
（タッチパネル２の構成）
本実施の形態に係るタッチパネル２は、例えば、操作面２０に指が近づくことによる、センサワイヤ２１及びセンサワイヤ２２と指との距離に反比例した電流の変化を検出信号として出力する静電容量方式のタッチセンサである。なおタッチパネル２は、例えば、周知の抵抗膜方式、赤外線方式、ＳＡＷ（Surface Acoustic Wave）方式等のタッチパネルを用いることが可能である。
【００１６】
このタッチパネル２は、図１（ｂ）に示すように、複数のセンサワイヤ２１及びセンサワイヤ２２と、タッチパネル制御部２３と、を備えて概略構成されている。
【００１７】
センサワイヤ２１及びセンサワイヤ２２は、例えば、ＩＴＯ（スズドープ酸化インジウム：Indium Tin Oxide）を用いて形成される。
【００１８】
センサワイヤ２１及びセンサワイヤ２２は、図１（ｂ）に示すように、紙面の縦方向及び横方向に沿って並んでいる。本実施の形態では、図１（ｂ）の紙面の横方向をｘ軸、縦方向をｙ軸とし、タッチパネル２の操作面２０の左上を原点としている。このｘｙ座標系は、第１の座標系である。
【００１９】
ｘ軸方向には、例えば、ｍ個のセンサワイヤ２１が等間隔で並んでいる。このｍは、例えば、正の整数である。
【００２０】
ｙ軸方向には、例えば、ｎ個のセンサワイヤ２２が等間隔で並んでいる。このｎは、例えば、正の整数である。
【００２１】
ｘ軸に沿って並べられたセンサワイヤ２１は、例えば、ｙ軸に沿って並べられたセンサワイヤ２２と電気的に絶縁されている。
【００２２】
タッチパネル制御部２３は、図１（ｂ）の紙面左から右のｘ軸方向のセンサワイヤ２１、紙面上から下のｙ軸方向のセンサワイヤ２２の順番に静電容量を読み出すように構成されている。タッチパネル制御部２３は、制御部５から出力される制御信号に基づいて静電容量を読み出すように構成されている。
【００２３】
またタッチパネル制御部２３は、例えば、読み出した各センサワイヤ２１の静電容量の値（静電容量値）を静電容量情報として判別部３及び制御部５に出力するように構成されている。
【００２４】
このタッチパネル２は、一例として、表示装置の表示画面と、操作面２０と、が１：１となる絶対操作系を構成する。従ってタッチパネル２のｘ軸方向の分解能、及びｙ軸方向の分解能は、一例として、表示画面のアスペクト比と同じ比となるように設定されている。
【００２５】
従って分解能は、一例として、表示画面のアスペクト比が１６：９である場合、ｘ軸方向の分解能が２５６、ｙ軸方向の分解能が１４４となるように設定されている。この分解能に合わせて、ｘｙ座標系のｘ軸方向の座標値、及びｙ軸方向の座標値が、設定される。つまり、一例として、ｘ軸の座標値は０〜２５５となり、ｙ軸の座標値は０〜１４４となる。
【００２６】
なおタッチパネル２は、例えば、操作面２０とは反対側に表示装置を備える構成であっても良い。
【００２７】
（判別部３の構成）
図２（ａ）は、実施の形態に係る操作装置の検出領域と非検出領域とを説明するための概略図であり、（ｂ）は、指の太さが標準の場合における図２（ａ）に示すII（ｂ）-II（ｂ）線で切断した断面を矢印方向から見た断面の模式図であり、（ｃ）は、指の太さが標準より太い場合における図２（ａ）に示すII（ｃ）-II（ｃ）線で切断した断面を矢印方向から見た断面の模式図である。
【００２８】
判別部３は、取得した静電容量情報に基づく静電容量が、予め定められたしきい値以上である場合、指の接触を判定するように構成されている。この接触とは、上述したように、しきい値以上の静電容量となる程度に、指が操作面２０に近接した場合を含んでいる。つまり接触の判定は、指が操作面２０に接していなくてもなされる可能性がある。判別部３は、指の接触を判定した後、指の接触面積を算出するように構成されている。
【００２９】
判別部３は、接触面積と距離とを関連付けた後述するテーブル３０を有し、算出した接触面積とテーブル３０とに基づいて距離を判別する。つまり判別部３は、図２（ｂ）及び（ｃ）に示すように、タッチパネル２から取得した静電容量情報に基づいて検出対象物が操作面２０と枠１２とに接触する際の枠１２から検出対象物の基準点までの距離を判別するように構成されている。本実施の形態における検出対象物は、指であるから、この枠１２から指の基準点までの距離は、一例として、操作面２０に接触した接触面積から推定される指の太さに比例する。
【００３０】
なお、この指の基準点とは、一例として、モデルとした指が理想的に枠１２と操作面２０とに接触した際の接触面積から得られた重心、当該接触面積の最も枠１２に近い点、及びモデルとした指の幅の中点等が考えられる。本実施の形態では、一例として、モデルとした指が枠１２に接触した際の指の幅の中点を基準点とするものとする。
【００３１】
この接触面積Ｓの算出は、一例として、しきい値以上となる複数の静電容量から求めた複数の座標を用いて算出する方法等の周知の方法が用いられる。またテーブル３０は、例えば、実験及びシミュレーション等によって求められても良い。さらに判別部３は、例えば、テーブル３０を用いた構成に限定されず、計算により後述する非検出領域２０２等を求めるように構成されても良い。
【００３２】
また判別部３は、タッチパネル２が指の接触を検出している期間中の接触面積Ｓの平均値を用いて距離を判別するように構成されても良い。この場合、判別部３は、指が操作面２０に接触したと判定し、指が操作面２０から離れたと判定するまでの期間に算出された複数の接触面積Ｓの平均を算出する。
【００３３】
テーブル３０は、例えば、図１（ｃ）に示すように、検出された指の接触面積Ｓと指の太さとを関連付けたものである。一例として、接触面積ＳがＳ≦ａの場合、指の太さは「細い」と判別される。一例として、接触面積Ｓがａ＜Ｓ＜ｂの場合、指の太さは「標準」と判別される。一例として、接触面積Ｓがｂ≦Ｓの場合、指の太さは「太い」と判別される。なお、０＜ａ，ｂ，ｃであるものとする。判別部３は、判別した結果を判別情報として座標変換部４に出力する。
【００３４】
判別部３は、図２（ａ）に示すように、指の太さに応じて操作面２０を、指を検出する検出領域２０１と、検出しない非検出領域２０２と、に分ける。
【００３５】
具体的には、判別部３は、指の太さを「細い」と判別した場合、非検出領域幅をＷＡとする。また判別部３は、指の太さを「標準」と判別した場合、非検出領域幅をＷＢとする。判別部３は、指の太さを「太い」と判別した場合、非検出領域幅をＷＣとする。この非検出領域幅とは、図２（ａ）に斜線で示す非検出領域２０２の幅である。この幅は、ＷＡ＜ＷＢ＜ＷＣである。
【００３６】
ここで操作者の指が枠１２に接触する場合、図２（ｂ）に示すように、指と枠１２の間に、指で操作し難い領域が出現する。当該領域は、指で容易に触れることができないので、当該領域内に選択可能なアイコンやカーソルが位置する場合、操作がし難くなる。非検出領域２０２とは、当該領域を含むように設定されるものであり、指の接触面積Ｓから推定されるものである。非検出領域２０２の幅は、枠１２からの幅として設定される。
【００３７】
なお、指の太さの判別は、例えば、指の接触が最初に検出された静電容量情報に基づいて行われる。つまり指の太さは、操作が継続している場合、その操作が最初に検出された静電容量情報に基づいて判別される。従って非検出領域２０２は、一例として、操作が継続する限り変更されないものとする。
【００３８】
また判別部３は、第１の距離の判別に用いた接触面積Ｓが予め定められた第１のしきい値以下である場合、第１の座標系を第１の距離に応じた第２の座標系に変換させる判別情報を座標変換部４に出力し、第２の距離の判別に用いた接触面積Ｓが第１のしきい値より大きい場合、さらに第２の距離に基づいた非検出領域２０２で検出されて出力された静電容量情報と予め定められた第２のしきい値とを比較して当該静電容量情報が大きい場合に、第１の座標系を第２の距離に応じた第２の座標系に変換させる判別情報を座標変換部４に出力するように構成されても良い。なお、一例として、第１の距離とは、指が標準の際の距離であり、第２の距離とは、指が太い際の距離である場合、当該静電容量情報が第２のしきい値以下である場合は、第１の距離に応じた第２の座標に変換される。
【００３９】
具体的には、一の電極において検出される静電容量は、指の大きさの影響以外に、個人に依存する身体の導電性、誘電性の違い等によっても影響を受ける。従って、一例として、細い指で操作がなされた場合であっても、指の太さの判別に用いられるしきい値を超える大きい静電容量が検出され、指が太いと判別される可能性がある。そこで判別部３は、一例として、指が太いと判別され、さらに指が接触し難い非検出領域２０２に位置する電極から出力される静電容量情報が予め定められた第２のしきい値よりも大きいという条件を満たす場合に、指が太いとする判別情報を出力する構成とすることで、操作装置１は、指が標準、又は細いにも関わらず、太い指用の座標系に変換する誤変換を防止することが可能となる。なおこの処理は、判別される指の大きさの数に応じて行われても良い。また判別部２は、指の大きさの判別を行う際の指の位置が、枠１２の近くである場合に、上記の判別を行うように構成されても良い。
【００４０】
（座標変換部４の構成）
図３（ａ）は、実施の形態に係るｘ軸方向の座標値について説明するための模式図であり、（ｂ）は、座標値の間隔が変更された場合の模式図であり、（ｃ）は、座標値の間隔が等間隔である場合の模式図である。なお図３（ｃ）は、実施の形態の変形例である。
【００４１】
座標変換部４は、判別部３によって設定された検出領域２０１に基づいて座標系を設定するように構成されている。また座標変換部４は、設定した座標系の情報を座標変換情報として制御部５に出力するように構成されている。
【００４２】
指の接触が検出されていない場合、つまり初期状態では、座標変換部４は、図３（ａ）に示すように、操作面２０の全体、つまり検出可能領域２００が検出領域２０１となる。よって枠１２間のｘ軸及びｙ軸の座標値は、分解能に応じて設定される。従って座標変換部４は、ｘ軸が、枠１２の間で、０〜２５５の座標値を有し、ｙ軸が、枠１２の間で、０〜１４３の座標値を有するｘｙ座標系（第１の座標系）を設定する。
【００４３】
また標準的な太さの指が検出された場合、座標変換部４は、図３（ｂ）に示すように、操作面２０に設定されたｘｙ座標系を検出領域２０１のｘ１ｙ１座標系（第２の座標系）に変換する。座標変換部４は、この変換により、検出可能領域２００に設定された分解能（ｘ軸が２５６、ｙ軸が１４４。）が検出領域２０１でも変わらないように座標変換を行う。つまりｘ１ｙ１座標系におけるｘ１軸方向の分解能は、２５６であり、ｙ１軸方向の分解能は、１４４である。従って座標変換部４は、ｘ１軸が、０〜２５５の座標値を有し、ｙ１軸が、０〜１４３の座標値を有するｘ１ｙ１座標系を設定する。
【００４４】
さらに座標変換部４は、図３（ｂ）に示すように、検出領域２０１の内側の予め定められた第１の領域（変更領域２０１ａ）とそれ以外の第２の領域（標準領域２０１ｂ）とに検出領域２０１を分け、第１の領域の座標の間隔と第２の領域の座標の間隔とを異なるように変更する。
【００４５】
これは、検出領域２０１の周囲の座標の間隔を狭めることにより、標準領域２０１ｂの座標の間隔を変更前の座標の間隔と等しくするためである。つまり、指の太さに応じて検出領域２０１の大きさが変わるので、検出領域２０１の座標を均等に割り付けると、指が小さい場合の座標の間隔が、指が太い場合の座標の間隔より広くなる。そのため、操作者が指を変えて操作した場合、使う指によって操作感が異なることが考えられる。
【００４６】
しかし座標変換部４は、変更領域２０１ａの間隔を調整することにより、標準領域２０１ｂの座標の間隔を指の大小で変わらないように設定することが可能となる。従って座標変換部４は、図３（ａ）に示すｘｙ座標系の座標の間隔を基準とし、変換した第２の座標系の標準領域２０１ｂの座標の間隔を基準の間隔とするように座標変換を行う。
【００４７】
ここで、変更領域２０１ａの幅は、一例として、判別された指の幅の半分程度となるように設定される。なお変更領域２０１ａの幅は、指の幅の半分程度に限定されず、一例として、許容される座標の間隔から設定されても良く、指の太さに依存しない標準領域２０１ｂを設定することで残りの領域を変更領域２０１ａとして設定されても良い。
【００４８】
（変形例）
なお変形例として、座標変換部４は、図３（ｃ）に示すように、検出領域２０１の座標の間隔を等間隔とする座標系（ｘ２ｙ２座標系）である変更領域２０１ｃを設定するように構成されても良い。このように設定された場合、検出領域２０１の全体で操作感が統一されることとなる。
【００４９】
（制御部５の構成）
制御部５は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部５が動作するためのプログラムが格納されている。ＲＡＭは、例えば、一時的に演算結果等を格納する記憶領域として用いられる。また制御部５は、その内部にクロック信号を生成する手段を有し、このクロック信号に基づいて動作を行う。
【００５０】
制御部５は、タッチパネル２から取得した静電容量情報、しきい値及び座標変換部４から取得した座標変換情報に基づいて操作を判定し、操作が判定された後、操作がなされた操作面２０の座標を算出し、操作情報として接続された電子機器に出力するように構成されている。この座標の算出は、静電容量の読み出しと同様に、クロック信号に応じた予め定められた周期に基づいて行われる。また制御部５は、この予め定められた周期に基づいて制御信号を生成してタッチパネル制御部２３に出力するように構成されている。
【００５１】
また制御部５は、静電容量情報に基づいて第１の座標系における指の検出点を算出する。この算出は、一例として、周知の加重平均を用いた方法等により行われる。制御部５は、算出した座標値を第２の座標系の座標に変換する。制御部５は、この座標の座標値を含む操作情報を生成して出力するように構成されている。
【００５２】
以下に、本実施の形態に係る操作装置１の動作を、各図を参照しながら図４のフローチャートに従って説明する。
【００５３】
（動作）
制御部５は、予め定められた周期に基づいて制御信号を生成してタッチパネル制御部２３に出力する。タッチパネル制御部２３は、取得した制御信号に基づいて静電容量を読み出して静電容量情報を生成し（Ｓ１）、判別部３に出力する。
【００５４】
判別部３は、取得した静電容量情報に基づいて接触の有無を判定する。判別部３は、指の接触が有ったと判定する、つまりステップ２においてＹｅｓが成立すると、指の太さを判別する（Ｓ３）。
【００５５】
判別部３は、算出した接触面積Ｓとテーブル３０とを比較して指の太さを判別すると、判別した指の太さに基づいて非検出領域２０２の幅を設定する（Ｓ４）。判別部３は、非検出領域２０２の幅の情報を含む判別情報を生成し、座標変換部４に出力する。
【００５６】
座標変換部４は、判別情報に基づいて指の接触を検出する検出領域２０１と接触を検出しない非検出領域２０２とに操作面２０を分け、操作面２０に設定された第１の座標系を検出領域２０１の第２の座標系に変換する（Ｓ５）。座標変換部４は、第２の座標系の情報を含む座標変換情報を生成し、制御部５に出力する。
【００５７】
制御部５は、タッチパネル２から取得した静電容量情報に基づいて指の検出点を算出する。続いて制御部５は、算出した検出点を、座標変換情報に基づいて検出領域２０１の座標系の座標に変換し、算出された座標の情報を含む操作情報を生成して電子機器に出力する（Ｓ６）。
【００５８】
（実施の形態の効果）
本実施の形態に係る操作装置１は、検出対象物の大きさによる操作感の違いを抑制することができる。具体的には、操作装置１は、操作面２０に接触した指の太さに応じて検出領域２０１を設定するので、枠１２の近傍の操作し難い領域を操作のために触れる必要がなくなり、操作感が向上する。
【００５９】
また操作装置１は、接触面積と、枠１２から指の基準点までの距離と、を関連付けたテーブル３０を有するので、テーブルを持たないものと比べて、処理にかかる時間が短縮され、また高度な処理を行うことが可能な制御部を必要としないので、低コストで製造される。
【００６０】
また操作装置１は、変更領域２０１ａと標準領域２０１ｂとに検出領域２０１を分け、変更領域２０１ａの座標の間隔と標準領域２０１ｂの座標の間隔とを異なるように変更するので、座標の間隔を均等にするものと比べて、標準領域２０１ｂにおける操作が、指の太さによらないため、指を変えて操作した際の操作感の違いを抑制することができる。
【００６１】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００６２】
１…操作装置、２…タッチパネル、３…判別部、４…座標変換部、５…制御部、１０…本体、１２…枠、２０…操作面、２１…センサワイヤ、２２…センサワイヤ、２３…タッチパネル制御部、３０…テーブル、１００…表面、２００…検出可能領域、２０１…検出領域、２０１ａ…変更領域、２０１ｂ…標準領域、２０１ｃ…変更領域、２０２…非検出領域
【図１】
2014006765.tif 000003
【図２】
2014006765.tif 000004
【図３】
2014006765.tif 000005
【図４】
2014006765.tif 000006